(57)【要約】      （修正有）【課題】エアコン表面に貼付することなく配設することができ、且つ吹出し口付近に導風部材を配設し、その位置を長期に渡り維持できるエアコン用風向調整具を提供する。【解決手段】エアコン用風向調整具１は、室内の設置面７に設置されているエアコン５１に取り付けられるエアコン用風向調整具であって、設置面とエアコンとの隙間に一端側が差し込まれる支持板１２を具備する基台１１と、エアコンから吹出される空気の流れの方向を変えるための導風部材４１と、基台と導風部材とを接続する接続部材２１と、を備え、基台には、支持板の他端側から設置面と直角方向に立設され、エアコンの厚さ以上の長さを有する立柱部１４、立柱部から支持板と並行してエアコンの吹き出し口に向けて延設される延設部１５、及び接続部材２１の一端側を延設部に接続する接続部１７が形成されており、導風部材は接続部材の他端側に接続される。【選択図】図２
0003214409.tif 000002
【実用新案登録請求の範囲】
【請求項１】
室内の設置面に設置されているエアコンに取り付けられ、前記エアコンから吹き出される空気の流れの方向を変えるためのエアコン用風向調整具であって、
前記設置面と前記エアコンとの隙間に一端側が差し込まれる支持板を具備する基台と、
エアコンから吹出される空気の流れの方向を変えるための導風部材と、
前記基台と前記導風部材とを接続する接続部材と、
を備え、
前記基台には、前記支持板の他端側から前記設置面と直角方向に立設され、前記エアコンの厚さ以上の長さを有する立柱部、前記立柱部から前記支持板と並行して前記エアコンの吹き出し口に向けて延設される延設部、及び前記接続部材の一端側を前記延設部に接続する接続部が形成されており、
前記導風部材は前記接続部材の他端側に接続されることを特徴とするエアコン用風向調整具。
【請求項２】
前記支持板は、その他端側が前記立柱部を越えて前記設置面に沿うように延伸されており、
前記基台には、前記支持板の延伸された部分と前記立柱部との間に補強リブが形成されている請求項１記載のエアコン用風向調整具。
【請求項３】
前記接続部材の一端側に軸体を備え、前記軸体の長さ方向の少なくとも一部の外周には周方向に複数の凸部が形成されており、
前記基台の前記接続部に前記軸体を支持する軸受体を備え、前記軸受体の内面には周方向に等角に配置された複数の凹部が形成されており、
前記軸体の前記凸部が前記軸受体の前記凹部と嵌合することにより、前記基台の前記延設部に対する前記接続部材の向きが固定される請求項１又は２に記載のエアコン用風向調整具。
【請求項４】
前記接続部材の前記一端側に前記軸体と中心軸が同軸となる係止軸体を備え、
前記基台の前記接続部に、前記軸受体とは離間して前記接続部材の前記係止軸体を貫通させて支持する切り欠きが形成された支持部が設けられており、
前記係止軸体が前記切り欠きの奥に位置するときは、前記係止軸体の中心軸が前記軸受体の中心軸と異なる位置である請求項３に記載のエアコン用風向調整具。
【請求項５】
前記支持板は、前記エアコン側の面に係止突起を有する請求項１乃至４のいずれかに記載のエアコン用風向調整具。
【請求項６】
前記接続部材の他端側に第２の軸体を備え、
前記導風部材に前記第２の軸体を取り付ける取付体を備え、
前記取付体は、前記第２の軸体が回動可能に挿通される軸孔と、前記軸孔を中心としたて円弧を描くように形成された円弧溝孔と、を具備する請求項１乃至５のいずれかに記載のエアコン用風向調整具。
【考案の詳細な説明】
【技術分野】
【０００１】
本考案は、エアコンディショナ（本明細書において単に「エアコン」と称す。）の吹出し口から吹き出された空調風の向きを調整するエアコン用風向調整具に関する。詳しくは、エアコン表面に貼付することなく配設することができ、且つ吹出し口付近に導風部材を配設し、その位置を長期に渡り維持することができるエアコン用風向調整具に関する。
【背景技術】
【０００２】
エアコン、特に天井に埋め込められ下方向に空調風を吹き出す天井埋込型のエアコンの空調風を所望の方向に調整し、その向きを維持して使用するための風向調整具が種々検討されている（例えば、特許文献１を参照。）。このような風向調整具は、エアコン表面の吹出し口周辺に設置されて使用されるものである。
例えば、特許文献１に記載されている風向調整具は、支持アームによって吹出し口から一定の距離を空けて設けられるルーバによって吹出し口からの空調風の向きを必要な方向に整流し、ルーバの先端側から吹き出るように風向きを変えるものである。
【０００３】
しかし、従来の風向調整具は、基台部分をエアコン表面に貼付により固定するため、風向調整具の撤去後の貼付部位が変色したり、貼付以外の部位が退色したりして跡が残るという問題があった。この問題に対応する手段の例として、エアコン表面以外の場所に固定する手段がある（特許文献２を参照。）。特許文献２に示されるアタッチメントは、エアコン表面とその設置面との間に平板部を挿入したり、エアコン表面の周辺の設置面に貼付したりすることで風向調整具を固定することができる。
【先行技術文献】
【特許文献】
【０００４】
【特許文献１】特開２００４−１３８３６３号公報
【特許文献２】特開２００３−２１３８９号公報
【考案の概要】
【考案が解決しようとする課題】
【０００５】
しかし、特許文献２のアタッチメントは、エアコンの側面に吹き出し口を備えるエアコン用であり、エアコンの底面から下方に向けて送風されるエアコンに適さない。エアコンの下方に向けて送風される空調風の向きを変えるには、エアコンの底面の吹き出し口の下方に風向を調整する風向き変更トレイを配設する必要がある。エアコンの底面の下方に風向き変更トレイを配設すると、エアコンの側方に位置する基台から底面の下方に届く取付アームを用意する必要があるが、取付アームが長くなるため大きな梃となり、風向き変更トレイの重さによって基台部分が設置面から容易に剥がれてしまう恐れがある。また、平板部と取付アームとの間を角度調節できるようにネジ止めにすると、風向き変更トレイの重さによって角度が変化してしまうという問題も起きやすい。
【０００６】
そこで、本考案は、エアコン表面に貼付することなく配設することができ、且つ吹出し口付近に導風部材を配設し、その位置を長期に渡り維持することができるエアコン用風向調整具を提供するものである。
【課題を解決するための手段】
【０００７】
本考案は、以下の通りである。
１．室内の設置面に設置されているエアコンに取り付けられ、前記エアコンから吹き出される空気の流れの方向を変えるためのエアコン用風向調整具であって、前記設置面と前記エアコンとの隙間に一端側が差し込まれる支持板を具備する基台と、エアコンから吹出される空気の流れの方向を変えるための導風部材と、前記基台と前記導風部材とを接続する接続部材と、を備え、
前記基台には、前記支持板の他端側から前記設置面と直角方向に立設され、前記エアコンの厚さ以上の長さを有する立柱部、前記立柱部から前記支持板と並行して前記エアコンの吹き出し口に向けて延設される延設部、及び前記接続部材の一端側を前記延設部に接続する接続部が形成されており、前記導風部材は前記接続部材の他端側に接続されることを特徴とするエアコン用風向調整具。
２．前記支持板は、その他端側が前記立柱部を越えて前記設置面に沿うように延伸されており、前記基台には、前記支持板の延伸された部分と前記立柱部との間に補強リブが形成されている前記１．記載のエアコン用風向調整具。
３．前記接続部材の一端側に軸体を備え、前記軸体の長さ方向の少なくとも一部の外周には周方向に複数の凸部が形成されており、前記基台の前記接続部に前記軸体を支持する軸受体を備え、前記軸受体の内面には周方向に等角に配置された複数の凹部が形成されており、前記軸体の前記凸部が前記軸受体の前記凹部と嵌合することにより、前記基台の前記延設部に対する前記接続部材の向きが固定される前記１．又は２．に記載のエアコン用風向調整具。
４．前記接続部材の前記一端側に前記軸体と中心軸が同軸となる係止軸体を備え、前記基台の前記接続部に、前記軸受体とは離間して前記接続部材の前記係止軸体を貫通させて支持する切り欠きが形成された支持部が設けられており、前記係止軸体が前記切り欠きの奥に位置するときは、前記係止軸体の中心軸が前記軸受体の中心軸と異なる位置である前記３．に記載のエアコン用風向調整具。
５．前記支持板は、前記エアコン側の面に係止突起を有する前記１．乃至４．のいずれかに記載のエアコン用風向調整具。
６．前記接続部材の他端側に第２の軸体を備え、前記導風部材に前記第２の軸体を取り付ける取付体を備え、前記取付体は、前記第２の軸体が回動可能に挿通される軸孔と、前記軸孔を中心とした円弧を描くように形成された円弧溝孔と、を具備する前記１．乃至５．のいずれかに記載のエアコン用風向調整具。
【考案の効果】
【０００８】
本考案のエアコン用風向調整具によれば、室内の設置面に設置されているエアコンに取り付けられ、エアコンから吹き出される空気の流れの方向を変えるためのエアコン用風向調整具であって、設置面とエアコンとの隙間に一端側が差し込まれる支持板を具備する基台と、エアコンから吹出される空気の流れの方向を変えるための導風部材と、基台と導風部材とを接続する接続部材と、を備え、基台には、支持板の他端側から設置面と直角方向に立設され、エアコンの厚さ以上の長さを有する立柱部、立柱部から支持板と並行してエアコンの吹き出し口に向けて延設される延設部、及び接続部材の一端側を延設部に接続する接続部が形成されており、導風部材は前記接続部材の他端側に接続されるため、導風部材をエアコン吹き出し口に配置することができ、エアコンから吹き出される空気の流れの方向を変えることができる。
また、接続部をエアコンの周辺の基台の位置から、延設部によってエアコン吹き出し口に近い位置に配設することにより、接続部材の長さをより短くすることができる。接続部材の長さが短いと、導風部材を力点として接続部を支点及び作用点とする梃の作用が弱くなり、接続部による接続を強固にしなくても、接続部材の向きを維持することができる。
【０００９】
前記支持板は、その他端側が前記立柱部を越えて前記設置面に沿うように延伸されており、前記基台には、前記支持板の延伸された部分と立柱部との間に補強リブが形成されている場合は、立柱部が導風部材の重みにより曲がり、導風部材の位置が変わることを防止することができる。また、支持板の延伸された部分が設置面と接することで、導風部材を力点とする梃における、支点が支持板の他端となり、支持板と接触して風向調整具を支えるエアコン端部が作用点となる。そして、延伸された部分が無い場合よりも支点と作用点との距離が長くなるため前記梃の作用が弱くなり、導風部材の重みにより支持板が設置面から引き剥がされ、風向調整具が脱落することを防止することができる。
前記接続部材の一端側に軸体を備え、前記軸体の長さ方向の少なくとも一部の外周には周方向に複数の凸部が形成されており、前記基台の前記接続部に前記軸体を支持する軸受体を備え、前記軸受体の内面には周方向に等角に配置された複数の凹部が形成されており、前記軸体の前記凸部が前記軸受体の前記凹部と嵌合することにより、前記基台の前記延設部に対する前記接続部材の向きが固定される場合は、前記凹部と前記凸部との噛み合わせを変えることで基台に対する接続部材の角度を調節し、接続部材に取り付けられている導風部材の向きを変え、エアコンから吹き出される空気の流れの方向を調節することができる。また、凹部と凸部とのかみ合わせは、ネジ止めする場合よりも強固であり、接続部材の向きを維持することができる。
前記接続部材の前記一端側に前記軸体と中心軸が同軸となる係止軸体を備え、前記基台の前記接続部に、前記軸受体とは離間して前記接続部材の前記係止軸体を貫通させて支持する切り欠きが形成された支持部が設けられており、前記係止軸体が前記切り欠きの奥に位置するときは、前記係止軸体の中心軸が前記軸受体の中心軸と異なる位置である場合は、天井等に設けた基台に、導風部材を取り付けた接続部材を一時的に係止できるため、導風部材を取り付けた接続部材を常に支える必要が無く、接続作業を容易に行うことができる。更に、係止軸体が切り欠きの奥に位置するときは、その中心軸が軸受体の中心軸と異なる位置であるため係止軸体が支持部に接近する妨げとなり、エアコンの振動等によって軸体（及び係止軸体）が支持部側に移動し、軸体が軸受体から脱落して、導風部材が接続部から脱落することを防止することができる。
【００１０】
天井埋め込み式のエアコンは図２に例示するように、底面５６外装の周辺が折り返しになっていて設置面７と接する端部５２が内向きに設けられていることが多い。
前記支持板は、前記エアコン側の面に係止突起を有する場合は、支持板１２を引き抜く方向（図２における右方向）に力が加わったとき天井埋め込み式のエアコン５１の端部５２に係止突起１２１が接触してそれ以上の支持板の引き抜きを防止し、支持板が引き抜かれてエアコン用風向調整具が脱落することを抑制することができる。
前記接続部材の他端側に第２の軸体を備え、前記導風部材に前記第２の軸体を取り付ける取付体を備え、前記取付体は、前記第２の軸体が回動可能に挿通される軸孔と、前記軸孔を中心とした円弧を描くように形成された円弧溝孔と、を具備する場合は、導風部材と接続部材の他端側との取付角度を変えることができ、導風部材の向きを変えてエアコンから吹き出される空気の流れの方向を調節することができる。また、円弧溝孔を用いて接続部材の向きをねじ止め等により固定することができ、外部から導風部材の向きが変わるように力が加わっても、固定箇所に掛かる力が小さくなり、強固に導風部材の向きを固定することができる。また、導風部材の向きを円弧溝孔が形成されている範囲で回動することができるため、導風部材の向きを円弧溝孔の孔長の範囲で変えることができると共にエアコンから吹き出される空気の流れの方向を微調整することができる。
【図面の簡単な説明】
【００１１】
本考案について、本考案による典型的な実施形態の非限定的な例を挙げ、言及された複数の図面を参照しつつ以下の詳細な記述によって更に説明するが、同様の参照符号は図面のいくつかの図を通して同様の部品を示す。
【図１】本考案の実施形態のエアコン用風向調整具の斜視図である。
【図２】図１のエアコン用風向調整具を設置した状態を示す側面図である。
【図３】図１の基台の斜視図である。
【図４】図１の基台の側面図である。
【図５】図１の基台及び接続部材の分解斜視図である。
【図６】図１の導風部材の側面図である。
【図７】図５の第１角度調整部の軸受体と軸体とが嵌合している状態を示す断面図である。
【図８】図５の第１角度調整部の軸受体と軸体との嵌合が外れている状態を示す断面図である。
【図９】本考案の別の実施形態のエアコン用風向調整具を示す断面図である。
【考案を実施するための形態】
【００１２】
以下、図を参照しながら本エアコン用風向調整具を説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１３】
本考案のエアコン用風向調整具を配設するエアコンは、通常、室内に空調風を送り出す吹出し口にルーバが備えられており、ルーバの向きを調整することによって空調風の風向きを調整可能になっている。また、図２に例示する天井埋込型のエアコン５１は、室内機本体５５が天井に埋め込められ、底面５６に具備する下向きの吹き出し口５４から下方向に空調風を吹き出す。しかし、使用環境や使用者毎の感覚の違いにより、吹出し口からの空調風を人が直接受けないようにする等、更に風向の調整を要する場合が多い。
【００１４】
本考案のエアコン用風向調整具は、室内の設置面７に設置されているエアコン５１（エアコンの室内機）の空調風の吹出し口５４周辺に取り付けられて使用される風向調整具１であり、図１及び図２に示すように、設置面７とエアコン５１との隙間に一端側が差し込まれる支持板１２を具備する基台１１と、エアコン５１の吹出し口５４から吹出される空気の流れの方向を変えるための導風部材４１と、基台１１と導風部材４１とを接続する接続部材２１と、を備える。
エアコン用風向調整具１を構成する部材の材質は特に問わず、樹脂及び金属等の任意の材質を用いることができる。
【００１５】
本風向調整具１を取り付けるエアコン５１の形態は、設置面７との間に支持板１２を挿入可能であれば良く、任意に選択することができる。例えば、図２に示すように、天井（設置面７）に配設されたエアコン５１の底面５６に吸込み口５３を備え、その周りに吹出し口５４が設けられている天井埋め込み型が挙げられる。この吹出し口５４が側面に設けられているエアコンでもよい。また、正面や上面に吸込み口５３、正面下方に吹出し口５４が設けられている壁面設置形、正面に吸込み口５３及び吹出し口５４が設けられている床置き型等のエアコンでもよい。更には、本考案の風向調整具１は、室内機及び室外機の組み合わせのエアコンに限らず、室外機のない一体型エアコンにも用いることができる。
【００１６】
基台１１は図２〜図４に示すように、支持板１２の他端側から設置面７と直角方向（設置面７から離れる方向）に立設され、エアコン５１の厚さ以上の長さを有する立柱部１４、立柱部１４から支持板１２と並行してエアコンの吹き出し口５４に向けて延設される延設部１５、及び接続部材２１の一端側を延設部１５に接続する接続部１７が形成されている。
支持板１２は、設置面７とエアコン５１とによって挟持されることによって風向調整具１を支える板であり、その形状及び大きさは、エアコン５１に併せて適宜選択される。また、支持板１２は、エアコン５１の設置面７と接する端部５２と係止する係止突起１２１をエアコン５１側の面に設けることができる。係止突起１２１を設ける具体的な位置は、風向調節具１を適用するエアコン５１の端部５２に合わせて適宜設定される。また、支持板１２はその他端側が前記立柱部を越えて設置面７に沿うように延伸されている延伸部１３を設けることができる。導風部材４１が図２の下方向に移動するような力が加わるとき、立柱部１４が導風部材４１を力点とする梃の支点となり、作用点がエアコン５１の端部５２となる力により、端部５２を下方に動かして支持板１２が設置面７から離間する力が掛かる。一方、延伸部１３があるときは延伸部１３の先端１３１が梃の支点となり、延伸部１３の長さの分だけ梃の支点の位置が作用点である端部５２から離れるため、作用点となる端部５２に掛かる力が弱くなり、支持板１２が設置面７から離間して外れにくくなる。
【００１７】
立柱部１４は、延設部１５がエアコン５１の底面５６に遮られることなく、エアコン５１の吹き出し口５４に向けて延設できるように間隔を設けるための柱である。立柱部１４は、支持板１２との接続部分が設置面７に対して直角方向になっていればよく、延設部１５側が屈曲していてもよい。
延設部１５は、接続部１７を吹き出し口５４に接近させるために設けられており、その長さは基台１１の強度や、接続部材２１の長さに合わせて適宜選択される。延設部１５が立柱部１４から延設する向きは、支持板１２と並行する向きであれば良く、支持板１２と並行する向きであってもよいし、延設部１５の接続部材２１側がエアコン５１に近づく向き又は離間する向きであってもよい。また、エアコン５１の表面に沿った形状としてもよい。
基台１１には、支持板１２の延伸部１３と立柱部１４との間に補強リブ１６が形成されていてもよい。補強リブ１６は、立柱部１４が導風部材４１の重みにより屈曲しないように補強するリブであり、その形状は特に問わない。
【００１８】
導風部材４１は、吹出し口５４から吹出された空気の流れの方向を所望の方向に変えるための板材等であれば良く、例えば、図１及び図２に示す羽板４１を挙げることができる。羽板４１は、エアコン５１の吹出し口５４から吹き出される空気である空調風６１を一方の面で受け止めて、空調風６１の向きを変える短冊形状体であり、僅かに吹出し口５４側に向けて凹状に湾曲する湾曲面となっている。羽板４１は、接続部材２１により、エアコン５１の吹出し口５４と間隔を空けて、吹出し口５４と並行するように配設される。また、羽板４１はその裏面、すなわち取付体に固定される面に、断熱板４２を設けることができる。断熱板４２は、発泡樹脂板等の断熱性が高い材質の板状体であり、吹出された空気によって羽板４１が加熱・冷却がされないようにすることにより、羽板４１の結露等を抑制する。尚、導風部材４１自体が断熱板であってもよい。
また、導風部材４１として、図９に示すような筒状体４３を挙げることができる。筒状体４３は、吹出し口５４から吹出された空気を一端から取り込み、その空気を通過させて、他端から必要な箇所に吹き出させることができればよく、その材質を問わない。更に、筒状体４３は、折り曲げできない硬管でもよいし、必要な場所に曲げて使用ができる軟管であってもよい。
以下、本風向調整具１に羽板を用いた導風部材４１を設けた実施例を説明する。
【００１９】
接続部材２１は、図２に示すように、吹出された空気を流通させる隙間を設けるため、羽板４１がエアコンの吹出し口５４に対して所定の間隔で固定されるように支持するものである。
図２及び図５に示すように接続部材２１は、棒状の平板体であり、平板の平面部２２の上端部には直交する方向に係止軸体２３が突設され、平面部２２の反対側の面には軸体２４が係止軸体２３と中心軸が同軸上となるように突設されている。軸体２４は、外周に周に沿って等角に配置された複数の凸部２４ａが形成されている。また、接続部材２１は、下端部において軸体２４と同側の面に平面部２２と直交して円柱状の中心軸２５が突設され、更に、中心軸２５から距離Ｌを隔てた平面部２２上に中心軸２５と同方向に円柱状のガイド軸２６が突設されている。中心軸２５は第２の軸体であり、後述の取付体３１の軸孔３４（図６を参照）に挿入して回動可能であればよい。図５に示すように、中心軸２５の先端部の外周面に雄ネジを形成し、内周面に雌ねじが形成されたキャップ（ナット）２７を螺着可能にすることができる。
また、ガイド軸２６は少なくとも先端部の外周面に雄ネジが形成されており、雄ネジ部にはスプリングワッシャー２８を外嵌し、固定具であるナット２９を螺着するようにすることができる。このようにすれば、導風部材４１の向きを調整した後、ナット２９によって、接続部材２１との間に取付体３１を挟持固定することができる。ナット２９は、ローレットナット等、使用者が手指で締めることができる形状及び大きさであることが好ましい。接続部材２１の形状や寸法は特に問わない。また、固定具は、ガイド軸を介して取付体３１と接続部材２１とを固定することができればよく、ナットの他、ピン及びクサビ等の固定手段を例示することができる。
【００２０】
接続部１７は、図３及び図５に示すように、軸受体１８及び支持部１９が一体に設けられている。軸受体１８は、内部に挿通孔１８ａ（図３及び図５においては孔一部が開いている）が形成され、その内面には周に沿って等角に配置される複数の凹部１８ｂが形成されている。支持部１９には、接続部材２１の係止軸体２３を貫通させて掛止するための切り欠き１９ａが設けられている。切り欠き１９ａは、切り欠き１９ａの奥１９ｂ側に係止軸体２３が位置させたときに、係止軸体２３の中心軸が、軸受体１８の挿通孔１８ａの中心軸がずれるように設けられている。これら支持部１９と軸受体１８とによって、接続部材２１は支持することができる。
【００２１】
軸受体１８は、図７に示すように、その凹部１８ｂと接続部材２１の凸部２４ａとを嵌合させることによって接続部材２１を支持することができる。また、凹部１８ｂと凸部２４ａとの嵌合は、第１角度調整部を構成する。図５及び図７に示すように、接続部材２１の軸体２４は基台１１の軸受体１８の挿通孔１８ａに挿通され、接続部材２１の軸体２４の凸部２４ａが軸受体１８の凹部１８ｂと所定の角度で嵌合することにより、羽板４１は吹出し口５４に対して所定の角度で固定される。
【００２２】
第１角度調整部によって、エアコンの吹出し口５４と平行な軸を中心として、吹出し口５４に対する羽板４１の角度を任意に変えることができる。第１角度調整部は、風向調整具１を設置するときや風向きを調整するときのみ羽板４１の角度調整を可能とし、エアコンの使用中は羽板４１を調整した角度に安定して固定できることが好ましい。第１角度調整部の構造として、前記凹部１８ｂと凸部２４ａに限られず、ネジ止めやバネ止め等、既知の軸受け構造を適宜選択して用いることができる。
【００２３】
特に、支持部１９は、風向調整具１の配設又は撤去作業中に一時的に支持するために主に使われる。軸受体１８は、風向調整具１の使用時に使われる。
通常、羽板４１の角度調整は、エアコン５１が設置されている高所で、腕を上方に伸ばしながら行うという、作業しづらい状態で行う必要がある。しかし、図７及び図８に示すように、係止軸体２３の端部から軸体２４の端部までの長さは、支持部１９と軸受体１８との間隔以上であり、軸受体１８から軸体２４を取り外しても、図８に示すように係止軸体２３が支持部１９により支えられる。
この構造によって、軸受体１８から軸体２４を取り外した直後から、接続部材２１を支持部１９により支えることができ、いきなり接続部材２１や羽板４１が落下してしまうのを気にすることなく作業を行うことができ、作業性を大きく向上させることができる。
また、凹部１８ｂと凸部２４ａが嵌合しているときは、挿通孔１８ａの前記ずれにより係止軸体２３が切り欠き１９ａの奥１９ｂよりやや低い位置となる負荷が掛かり、係止軸体２３及び軸体２４の動きの妨げとなるため、エアコン５１等の振動等によって係止軸体２３及び軸体２４が動き、凹部１８ｂと凸部２４ａとの嵌合が外れることを防止することができる。
【００２４】
導風部材４１は、その向きを吹出し口に対して所定範囲の角度で調整可能であり、基台１１、接続部材２１及び取付体３１を介して、エアコン５１の吹出し口５４の近傍に取り付けられる。導風部材４１を構成する部材の材質は特に問わず、木材、樹脂、金属等の任意の材質を用いることができる。また、表面（下面）に壁紙を貼付する等の装飾を施すことができる。特に、装飾をエアコン周辺の天井面や壁面、柱等の表面の柄に揃えることで、設置場所の美観に合ったものとすることができる。
【００２５】
取付体３１は、図６に示すように、中央部に接続部材２１の中心軸２５が挿通される軸孔３４が複数形成されている。また、軸孔３４を中心とする円弧状の溝である円弧溝孔３５が形成されている。軸孔３４の中心から円弧溝孔３５の中心線までの半径Ｒは、図５に示す接続部材２１の中心軸２５とガイド軸２６との各中心間の距離Ｌと同一に設定されている。これにより、図１に示すように接続部材２１は中心軸２５を中心にガイド軸２６が取付体３１の円弧溝孔３５の範囲内で回動できるようになっている。図５に示すように接続部材２１の中心軸２５の先端部にはキャップ２７が装着され、ガイド軸２６の端部にはスプリングワッシャー２８が取り付けられるとともにナット２９が螺着され、ナット２９が締め付けられることにより、取付体３１は、接続部材２１の平面部２２とナット２９とで挟持される。これによって、取付体３１は接続部材２１に対して任意の角度の位置に調整されて接続部材２１の下端部に連結固定される。ここで、接続部材２１の中心軸２５、ガイド軸２６、取付体３１の軸孔３４及び円弧溝孔３５は、取付体３１を接続部材２１に対して任意の角度に調整して連結し固定するための第２角度調整部を構成する。
【００２６】
また、接続部材２１に取付体３１を連結する際に、接続部材２１の中心軸２５を挿入する軸孔３４を複数の取付体３１のうちから選択することによって、羽板４１の取付位置を前後にずらすことができ、羽板４１の表面が適切に吹出し口５４と対向するように調節することができる。
尚、本実施例では、軸孔３４が３つ形成されているが、この数に限られず１以上の任意の数だけ設けることができる。また、各円弧溝孔３５の端部が別の円弧溝孔３５に接続されているが、分離していてもよい。
【００２７】
また、羽板４１は、長さ方向において２つあるいは３つ等に分割し、分割された各羽板４１をそれぞれ個別に取付体３１に取り付けてもよい。この場合、それぞれの羽板４１の向きを変えて、１つの吹出し口５４から吹き出される空調風６１を複数の方向に分割、分散して各方向に送り出すことができる。
【００２８】
本実施形態の風向調整具１は、図１に示すように、導風部材４１を基台１１及び接続部材２１によりエアコン５１の吹き出し口５４の近辺に配置することができ、エアコンから吹き出される空調風６１を導風部材４１によって受けて、空気の流れの方向を変えることができる。また、エアコン５１と設置面７との間に支持板１２を差し込んで固定する構造であるため、エアコン５１や設置面７に基台を貼付することなく使用することができる。
【００２９】
更に、接続部１７をエアコン５１の周縁から、エアコン５１の吹き出し口５４に近い位置に配設することにより、接続部材２１の長さをより短くすることができる。接続部材２１の長さが短いと、導風部材４１を力点として接続部１７を支点及び作用点とする梃の作用が弱くなり、接続部１７による接続強度を強固にしなくても、接続部材２１の向きを維持することができる。更に、延伸部１３により、エアコン５１の端部５２を下方に動かして支持板１２を設置面７から引き剥がす力を小さくして、風向調整具１が外れることを防止することができる。
【００３０】
尚、本考案においては、以上に示した実施形態に限られず、目的、用途に応じて本考案の範囲内で種々変更した態様とすることができる。
【符号の説明】
【００３１】
１；風向調整具、１１；基台、１２；支持板、１２１；係止突起、１３；延伸部、１４；立柱部、１５；延設部、１６；補強リブ、１７；接続部、１８；軸受体、１８ｂ；凹部、１９；支持部、１９ｂ；奥、２１；接続部材、２３；係止軸体、２４；軸体、２４ａ；凸部、２５；中心軸、３１；取付体、３４；軸孔、３５；円弧溝孔、４１；導風部材（羽板）、５１；エアコン、５４；吹出し口、６１；空調風、７；設置面。
【図１】
0003214409.tif 000003
【図２】
0003214409.tif 000004
【図３】
0003214409.tif 000005
【図４】
0003214409.tif 000006
【図５】
0003214409.tif 000007
【図６】
0003214409.tif 000008
【図７】
0003214409.tif 000009
【図８】
0003214409.tif 000010
【図９】
0003214409.tif 000011